(57)【特許請求の範囲】
【請求項１】
後方を向いた電気コネクタと、後方を向いた突合せ面と、前方を向いた突合せ面を有する電気装置を受容するためのベイにおいて、
前記ベイは、前記電気装置を受容するための正面開口と、前記電気装置の電気コネクタに接続するように適合させた電気コネクタを有する後部と、前記電気装置の前記後方を向いた突合せ面と係合するために前方を向いた突合せ面を有する排出部材を持つ滑動往復台と、前記往復台をベイ内で滑動運動するように取り付ける手段と、前記電気装置を挿入しかつその後で取り外すためのレバー操作式挿入および取外し機構とからなり、前記機構は、手動的に係合可能な作動部を有する旋回式レバーと、前記電気装置の前記前方を向いた突合せ面と係合するためにレバーによって支持される突合せ面と、前記レバーによって駆動されかつ前記滑動往復台に動作可能に結合される回転歯車部材とからなり、
それによって前記レバーは、ベイの前記正面開口が前記電気装置を受容するために開くと共に前記往復台が前方に滑動する第１位置から、前記往復台および前記排出部材が前記回転歯車部材の動作によって徐々に後方に駆動され、かつレバーの突合せ面が電気装置の正面突合せ面を圧迫して前記装置を前記ベイ内に押し込む中間位置を経て、前記往復台が完全に後方まで駆動され、かつ前記装置がベイ内で該装置の電気コネクタがベイの電気コネクタに接続する位置に運ばれる第２位置まで旋回することができ、かつそれによって電気装置は、前記レバーの逆戻りの前記第２位置から前記第１位置への運動により、前記排出部材が装置の後方を向いた突合せ面を圧迫する状態で、前記往復台をベイ内で前方に駆動して装置をベイから追い出すことによって、ベイから排出することができるようにしてなるベイ。
【請求項２】
前記レバーの前記突合せ面を、前記レバー上に回転できるように取り付けられたローラに設ける請求項１に記載のベイ。
【請求項３】
前記回転歯車部材が前記レバーによって回転し、前記往復台の歯付きラックと係合する請求項１または２に記載のベイ。
【請求項４】
レバーを第２位置に保持するように働く戻り止め機構を含む請求項１ないし３のいずれかに記載のベイ。
【請求項５】
レバーの前記突合せ面とレバーの旋回軸との間の距離が一定である請求項１ないし４のいずれかに記載のベイ。
【請求項６】
レバーが前記第１位置から前記第２位置に移動するにつれて、レバーの突合せ面からレバーの旋回軸までの距離を徐々に短縮するための手段を設ける請求項１ないし４のいずれかに記載のベイ。
【請求項７】
前記レバーが、前記旋回運動をするように取り付けられた第１部分と、第１部分に対して運動して前記レバーを伸縮させるように第１部分によって支持され、かつカム従動節を持つ第２部分とからなり、ベイは前記カム従動節と係合する固定カムを有し、カムは、前記第１位置でレバーが伸長し、前記中間位置を経て前記第２位置に移動するときには、レバーの第２部分が第１部分に対して強制的に運動して前記レバーが徐々に収縮するように成形される請求項６に記載のベイ。
【請求項８】
レバーが滑動往復台上で旋回し、ベイの前記電気コネクタに対して固定された歯付きラックを設け、前記回転歯車部材が前記レバーによって回転して前記ラックと歯車係合するので、前記レバーの前記第１位置から前記第２位置への旋回により、前記往復台が前記ベイの後部に向けて駆動されるようにした請求項１または２に記載のベイ。
【請求項９】
試験のための電気装置を受容するために請求項１ないし８のいずれかに記載のベイからなる、電気装置を試験するための装置。
【請求項１０】
前記装置が少なくとも１０個の前記ベイを含む請求項９に記載の装置。
【請求項１１】
前記装置が少なくとも５０個の前記ベイを含む請求項１０に記載の装置。
【請求項１２】
コンピュータ用ディスクドライブの動作を試験する方法であって、前記ドライブを請求項９ないし１１のいずれかに記載の装置のベイ内に挿入し、前記ドライブに電子試験を実行することからなる方法。
【発明の詳細な説明】
【０００１】
【発明の属する技術分野】
本発明は、電気装置、特にコンピュータ用ディスクドライブの装着および試験装置に関し、そのような電気装置の一時的受容および接続のためのベイ(bay)を提供してそれらの試験を容易にする。
【０００２】
【従来の技術】
ディスクドライブテスタは、複数のテストベイ（試験装置１台につき最高１２０個）を必要とする。各テストベイすなわち取付具は、試験できる状態にあるディスクドライブを装填し、締結し、かつ電気的に接続するように設計される。試験工程の後、ドライブは、次に試験するドライブと交換するために、作業者が排出して取り外す必要がある。
【０００３】
従来、ディスクドライブは試験装置のベイに手動的に押し込まれ、手動的に取り外されてきた。しかし、機械的レバーの使用により滑動往復台を駆動してドライブをプラグから抜いて取り外すと共に、場合によってはドライブを挿入しプラグを差し込むために、往復台の運動の最後の部分でドライブを係合するように往復台を駆動することをはじめ、この問題に対する様々な取組み方が探求されてきた。
【０００４】
【発明が解決しようとする課題】
大抵の場合、試験中にディスクドライブを保持するための手段を設ける必要がある。残念ながら、個々の設計に適合させるために、異なるドライブは異なる保持装置を必要とし続けており、ドライブの挿入および取外しの両方の機械的補助を提供できる、使いやすい汎用テストベイが依然として必要である。また、試験のためにドライブを保持するための改善された手段を備えたテストベイも必要である。
【０００５】
しかし、本発明によって扱われる問題は、コンピュータ用ディスクドライブの試験に限らず、他の分野でも生じる。
【０００６】
【課題を解決するための手段】
本発明は、後方を向いた電気コネクタと、後方を向いた突合せ面と、前方を向いた突合せ面とを有する電気装置を受容するためのベイを提供する。
【０００７】
前記ベイは、前記電気装置を受容するための正面開口と、前記電気装置の電気コネクタに接続するように適応させた電気コネクタを有する背面部と、電気装置の後方を向いた突合せ面と係合するための前方を向いた突合せ面を有する排出部材を支える滑動往復台と、ベイ内で滑動運動するように前記往復台を装着する機構と、前記電気装置を挿入し、かつ後で取り外すためのレバー操作式挿入および取外し機構とからなり、前記機構は、手動的に係合可能な作動部を有する旋回式レバーと、電気装置の前方を向いた突合せ面と係合するためにレバーによって運搬される突合せ部材と、前記レバーによって駆動され滑動往復台に動作可能に結合される回転歯車部材とからなる。
【０００８】
前記レバーは、ベイの前記正面開口が前記電気装置を受容するために開きかつ前記往復台が前方に滑動する第１位置から、前記往復台および前記排出部材が前記回転歯車部材の動作によって徐々に後方に駆動され、かつレバーの突合せ面が電気装置の正面突合せ面を圧迫して前記装置を前記ベイ内に押し込む中間位置を経て、前記往復台が完全に後方まで駆動され、かつ前記装置がベイ内で該装置の電気コネクタがベイの電気コネクタに接続する位置に運ばれる第２位置まで旋回することができる。
【０００９】
電気装置は、前記レバーの逆戻りの前記第２位置から前記第１位置への運動により、前記排出部材が装置の後方を向いた突合せ面を圧迫する状態で、前記往復台をベイ内で前方に駆動して装置をベイから追い出すことによって、ベイから排出することができる。
【００１０】
【発明の実施の態様】
レバーの突合せ面は、前記レバー上で回転するように取り付けられたローラ上に設けることが望ましい。ローラの使用により、ディスクドライブの正面とそれを圧迫するレバーの突合せ面との間に低摩擦境界面が得られる。
【００１１】
前記レバーによって駆動される回転歯車部材は、前記往復台の歯付きラックと係合することが望ましい。それにより、レバーの旋回運動によって往復台の滑動運動を駆動することが可能になる。レバーをその第２位置に保持するように働く戻り止め機構があることが望ましい。これは、例えば、レバーがその第２位置に達したときに、ベイに固定して取り付けられ自在止め金を係合するレバー上の回し金によって実現することができる。電気装置をベイに保持するための機構は、電気装置に直接働くのではなく、レバーに働くことが望ましく、これにより保持機構の性能発揮における電気装置の設計への依存性が軽減または除去される。
【００１２】
レバーの突合せ面とレバーの旋回軸との間の距離は、一定とすることができる。そうすると、レバーを旋回したときに、レバーの突合せ面がドライブをベイ内に転位させる量が決まる。そのときレバーの突合せ面がたどる軌跡は、部分円になる。
【００１３】
しかし、装備する機構は、レバーが第１位置から第２位置まで運動するときに、レバーの突合せ面からその旋回軸までの距離が徐々に短くなるように働くこともできる。
【００１４】
この目的のために、レバーは、前記旋回運動のために取り付けられる第１部分と、前記レバーを伸長したり収縮するように第１部分に対し運動、例えば滑動運動をするように第１部分に支持され、かつカム従動節を持つ第２部分とを含むことができ、そこでベイは前記カム従動節と係合する固定カムを含み、該カムは、前記第１位置でレバーが伸長し、前記中間位置を経て前記第２位置へ移動すると、レバーが強制的に第１部分に対し移動して前記レバーを徐々に収縮するようにな形される。
【００１５】
代替構成では、レバーは滑動往復台上で旋回し、べイの電気コネクタに対し固定された歯付きラックを設け、前記回転歯車部材は前記レバーによって回転して前記ラックと歯車係合するので、前記レバーが前記第１位置から第２位置に旋回すると、前記往復台が前記ベイの後部に向かって駆動される。レバーとラックの間のかみ合いは、任意の角度のレバーの転位に対するベイの後方向への往復台の移動が、レバーに取り付けられた歯車がラックと直接係合した場合に得られるより、大きくなるようにすることができる。
【００１６】
本発明は、電気装置を試験するための装置であって、上述のベイ、望ましくは少なくとも１０個の前記ベイ、例えば５０個を超える前記ベイからなる前記試験装置を含む。本発明はまた、コンピュータ用ディスクドライブの動作を試験する方法であって、ドライブをそうした装置のベイに挿入し、ドライブに電子試験を実行することからなる前記方法を含む。
【００１７】
【実施例】
本発明を添付の図面に関連してさらに詳しく説明し、解説する。
【００１８】
図１に示すように、コンピュータ用ディスクドライブ試験装置のテストベイは、ベイの主要構造を画定する固定トレー１０を含む。トレー１０は側壁１２、１４および床面１６を有する。床面１６には開口１８があり、床面１６の開口１８の後ろの部分２０は、床面１６の前方部分の面より下に陥凹している。
【００１９】
滑動往復台２２をトレー１０の床面１６の下で滑動するように取り付ける。往復台２２は後方に伸長するタング２４を有し、タングは開口１８内を通過し、トレー床面１６の陥凹部分２０の頂面上を滑動する。タング２４の直立後壁２８に突出しピン２６を設け、これはそこから前方にトレー１０内に突出する。トレー１０の後部に電気コネクタ３０を設ける。滑動往復台２２は、その上面に歯付きラック３２を有する。ベルクランクレバー３４は、軸３６を中心にしてトレー１０上を旋回する。レバー３４の作動部は、手動的に係合可能なハンドル３８によって形成される。レバー３４は、使用中のディスクドライブの前面部を係合するための頭部４２を有するローラ４０を支える。ローラ４０は回転するようにレバー３４に取り付ける。レバー３４の他端の歯付き構成は、滑動往復台のラック３２と係合する四分円歯車４４を形成する。拡大頭部を有する回し金４６は、レバー３４の中間部からベイ内を後方に突出する。それに対応して回し金４６を受容するための１対の自在アームを有する自在戻り止め４８を、トレー床面１６の上面に設ける。
【００２０】
レバー３４を図面の右側に向かってできるだけ大きく旋回すると、滑動往復台２２は、四分円歯車４４と歯付きラック３２の係合によってベイ内を前方に駆動され、トレー１０の正面は開口としてアクセス可能になり、抵抗を感じる前にディスクドライブの正面がローラ４０に妨げられないように、開口から中へディスクドライブを挿入することができる。レバー３４を図面の左側に向かって旋回すると、ローラ４０の頭部４２がディスクドライブの正面を圧迫し、ディスクドライブをベイ内に押し込む。同時に、四分円歯車４４と歯付きラック３２の係合により、滑動往復台２２はベイ内を後方に駆動され、ディスクドライブがベイ内に移動するにつれて、突出しピン２６はディスクドライブから離れて運ばれる。レバー３４が図面の左側に向かってその第２位置まで完全に旋回すると、回し金４６が戻り止め４８にラッチし、ディスクドライブの後部の電気コネクタがベイ内の電気コネクタ３０とかみ合う。
【００２１】
試験が完了した後、作業員は、レバー３４を図面の右側に向かって完全に移動することによって、すなわちその第１位置に戻すことによって、ベイからドライブを排出する。ローラがディスクドライブの表面を解放すると、滑動往復台２２は、歯付きラック３２と四分円歯車４４との係合によってベイ内を前方に駆動され、これにより突出しピン２６がベイ内を前方に移動し、ディスクドライブを手動的に容易に引き出せる位置まで押し出す。
【００２２】
この実施例では、ローラ４０によって移動するベイの後部方向の距離は、単にローラ４０と旋回軸３６との間の距離によって決まり、ローラ４０はこの旋回軸を中心に円の一部分を運動する。場合によっては、レバーの任意の旋回角度に対し、ローラの前方から後方までの転位がより大きくなるようにすることが望ましい。これは、図２および図３に示すレバーに変更することによって構成することができる。
【００２３】
構成は、レバー２３４が２つの部分に分かれること以外は、一般的に図１に示す通りである。前の例と同様に、レバーの部分２３５はトレーまで旋回し、滑動往復台の歯付きラック２３２と係合する四分円歯車２４４を持つ。しかし、作動部材２３８およびローラ２４０を持つレバーの第２部分２３７は、レバー２３５の第１部分に円滑運動するように取り付けるので、レバーの長さは可変である。レバーの第２部分２３７にカム従動ピン２３９を設ける。図３に示すように、カム従動ピン２３９は、レバー２３４と重なるトレー床面２１６（一部のみを図示）の下側にカム輪郭を形成するスロット内に受容される。トレー床面２１６の下側のスロット２４３は、レバー２３４がその第１位置（図面の右側方向に最大限の位置）にあるときにレバーが完全に伸長するが、レバーを左側にその第２位置に向かって動かすと、カムとカム従動節の構成により第２部分２３７が強制的にレバーの第１部分２３５を下方に滑動させてレバーを収縮するように成形する。この効果は、ローラ２４０がベイの内部に向かって移動する程度が、レバーが固定長であった場合に単にレバー２３４の旋回によって得られるより大きくなることである。したがって、ベイに載置されたディスクドライブがローラ２４２によってベイ内に駆動される距離が、任意のレバー運動に対して、他の場合に得られるより大きくなる。カム輪郭スロットはその後端に切欠き２４１を有し、その中にピン２３９が落下してドライブをその差込み位置に保持する。
【００２４】
図４および図５に示す実施例では、レバー４３４は軸４３６を中心として、トレーの固定部分までではなく、滑動往復台４２２まで旋回する。歯付きラック４３２を今度はトレー４１０の下側に固定した状態で設け、レバーの四分円歯車４４４と歯付きラック４３２との間に遊び歯車４５０を差し挟む。遊び歯車はまた、滑動往復台に対して固定された軸を中心に回転するように取り付ける。レバー４３４を時計回り方向に動かすと、遊び歯車４５０が反時計回り方向に運動し、遊び車はトラック４３２に沿って左に回転し、往復台がベイ内のさらに奥に送られ、それと共にレバー４３４が運ばれるので、ローラ４４０のベイの内側に向かう運動は、図１に示すように固定した旋回軸を中心にしてアーム４３４を単に旋回することによって得られるより大きくなる。往復台は、図１に示すもの（構成部品４６、４８）と同様の回し金および戻り止め機構によって、その位置に完全に保持される。
【００２５】
図４および図５に示す機構のさらなる利点は、該機構が、ドライブをベイ内に挿入する間、および突出しピンの動作によってドライブを排出する場合の両方で機械的に都合がよいことである。
【００２６】
図示した第２および第３実施例の両方とも、滑動往復台の運動は、図１の実施例と同様に、ディスクドライブの後面と接触した突出しピンの前後の運動に連結される。
【００２７】
本発明を図示した特定の実施例に関連して説明したが、本発明の範囲内でその多くの変形や変更を行うことができることは理解されるであろう。
【図面の簡単な説明】
【図１】  本発明に係るテストベイの第１実施例の組立分解図である。
【図２】  本発明に係るテストベイの第２実施例の構成部品を示す斜視図である。
【図３】  図２の構成部品にカム板を補足し、装置の作動レバーを第２位置に移動した状態を示す斜視図である。
【図４】  本発明に係る装置の第３実施例の組立分解図である。
【図５】  内部構成部品を暴露するために部分的に切り欠いた図４の装置の平面図である。
【符号の説明】
１０ 固定トレー
２２ 滑動往復台
２６ 突出しピン
３０ 電気コネクタ
３４ レバー
３６ 旋回軸
３８ ハンドル
４０，４３ ローラ
４４ 四分円歯車
４６ 回し金
【図１】
0004331327.tif 000002
【図２】
0004331327.tif 000003
【図３】
0004331327.tif 000004
【図４】
0004331327.tif 000005
【図５】
0004331327.tif 000006